(57)【要約】      （修正有）【課題】内部に存在する位相マスクが高い出費なしで較正される顕微鏡を提供する。【解決手段】セグメントの第１部分量の第１グレーレベルが一定に維持され、セグメントの第２部分量の第２グレーレベルが１つのパターンから次のパターンに変化するステップと、光学デバイス１００の光が位相マスク８０に衝突するステップと、ビーム経路中の光の全強度の少なくとも一部分が異なるパターンに関して位相マスクの下流で測定され、測定強度の特性が第２のグレーレベルに依存して取得されるステップと、第２グレーレベルと位相マスクによって与えられた位相シフトとの間の関係が特性から取得されるステップと、位相マスクの駆動がグレーレベルと位相シフトとの間の取得された関係に基づいて較正されるステップと、が実行される。【選択図】図１
2020060758.tif 000002
【特許請求の範囲】
【請求項１】
光学デバイス、特に顕微鏡（１００）のビーム経路において、位相マスク特にＳＬＭを較正するための方法であって、次の方法ステップ、
前記位相マスク（８０）が、グレーレベル（Ｇ）の異なるパターン（Ｇｉ（ｘ，ｙ））とともに連続的に駆動される、ステップであって、
セグメントの第１の部分量（９１）の第１のグレーレベル（Ｇ１）が、一定に維持され、セグメントの第２の部分量（９２）の第２のグレーレベル（Ｇ２）が、１つのパターン（Ｇｉ（ｘ，ｙ））から次のパターン（Ｇｊ（ｘ，ｙ））に変化する、ステップと、
前記光学デバイス（１００）の光が、前記位相マスク（８０）に衝突する、ステップと、
前記ビーム経路中の前記光の全強度の少なくとも一部分（Ｉ）が、前記異なるパターン（Ｇｉ（ｘ，ｙ））に関して前記位相マスク（８０）の下流で測定され、測定強度（Ｉ）の特性（Ｉ（Ｇ２））が、前記第２のグレーレベル（Ｇ２）に依存して取得される、ステップと、
前記第２のグレーレベル（Ｇ２）と前記位相マスク（８０）によって与えられた位相シフト（φ）との間の関係（φ（Ｇ））が、前記特性（Ｉ（Ｇ２））から取得される、ステップと、
前記位相マスク（８０）の駆動が、グレーレベル（Ｇ２）と位相シフト（φ）との間の取得された関係（φ（Ｇ））に基づいて較正される、ステップと、
が実行されることを特徴とする方法。
【請求項２】
請求項１に記載の方法であって、
前記位相マスク（８０）が、ピクセル列およびピクセル行を有する２Ｄ位相マスクであることを特徴とする方法。
【請求項３】
請求項１または２に記載の方法であって、
前記位相マスク（８０）が、ネマチック型空間光変調器（ＳＬＭ）であることを特徴とする方法。
【請求項４】
請求項１から３のいずれか１項に記載の方法であって、
前記パターン（Ｇｉ（ｘ，ｙ））が、少なくとも１つの空間方向（ｘ，ｙ）に周期的であることを特徴とする方法。
【請求項５】
請求項１から４のいずれか１項に記載の方法であって、
前記パターン（Ｇｉ（ｘ，ｙ））が、ダマン格子を作製するためのパターンであることを特徴とする方法。
【請求項６】
請求項１から５のいずれか１項に記載の方法であって、
前記第２のグレーレベル（Ｇ２）が、前記位相マスク（８０）のダイナミックレンジ全体にわたって変化することを特徴とする方法。
【請求項７】
請求項１から６のいずれか１項に記載の方法であって、
前記較正用の前記測定に使用される照明光が、独立したビーム検出手段（４９）を介してカメラ（６２、６６）に導かれることを特徴とする方法。
【請求項８】
請求項１から７のいずれか１項に記載の方法であって、
特別な蛍光試料（４９）が、前記較正用の前記測定に使用されることを特徴とする方法。
【請求項９】
請求項１から８のいずれか１項に記載の方法であって、
対象物担体（４４）において反射された光が、前記較正用の前記測定に使用されることを特徴とする方法。
【請求項１０】
請求項１から９のいずれか１項に記載の方法であって、
検出ビーム経路中の励起光を遮断するためのフィルタが、前記較正用の前記測定のために除去されることを特徴とする方法。
【請求項１１】
請求項１から１０のいずれか１項に記載の方法であって、
０次の回折光が、前記位相マスク（８０）の下流で空間フィルタを使用して遮断されることと、
前記ビーム経路の積分強度（Ｉ）が、前記空間フィルタの下流で測定されることと、
前記第２のグレーレベル（Ｇ２）と前記位相シフト（φ）との間の前記関係（φ（Ｇ））が、Ｉ＝ｃｏｎｓｔ＊（１−ｃｏｓφ）との比較によって取得されることと、
を特徴とする方法。
【請求項１２】
請求項１から１０のいずれか１項に記載の方法であって、
０次の回折光のみが、前記較正のために測定され、前記第２のグレーレベル（Ｇ２）と前記位相シフト（φ）との間の前記関係（φ（Ｇ））が、Ｉ＝ｃｏｎｓｔ＊（１＋ｃｏｓφ）との比較によって取得される、
ことを特徴とする方法。
【請求項１３】
請求項１から１２のいずれか１項に記載の方法であって、
前記位相マスク（８０）の前記較正用の前記測定のためにのみ使用される、独立したカメラが存在することを特徴とする方法。
【請求項１４】
請求項１から１２のいずれか１項に記載の方法であって、
実際の顕微鏡法測定にも使用される前記カメラ（６２、６６）が、前記強度（Ｉ）を測定するために使用されることを特徴とする方法。
【請求項１５】
請求項１から１４のいずれか１項に記載の方法であって、
前記光学デバイスが、レーザー走査顕微鏡（ＬＳＭ）、広視野顕微鏡、光シート顕微鏡、または配色の微小操作用のフォトマニピュレータであることを特徴とする方法。
【請求項１６】
試料を観察するための顕微鏡、特に請求項１から１５のいずれか１項に記載の方法を実行するための顕微鏡であって、
照明光（１１）を放射するための少なくとも１つの光源（１０）と、
前記試料（４８）上に前記照明光（１１）を導くための少なくとも１つの顕微鏡対物レンズ（３０）と、
検出光（５４）を前記試料（４８）からカメラ（６２、６６）上に導くための光学手段（４０、５０、６４）と、
ビーム経路中に配置された位相マスク（８０）と、
検出ビーム経路中の光を測定するための前記カメラ（６２、６６）と、
前記位相マスク（８０）および前記カメラ（６２、６６）を駆動し、前記カメラ（６２、６６）によって測定された光を評価するための制御／評価ユニット（７０）と、
を含む、顕微鏡において、前記制御／評価ユニット（７０）が、
前記位相マスク（８０）を、グレーレベル（Ｇ）の異なるパターン（Ｇｉ（ｘ，ｙ））とともに連続的に駆動することであって、セグメントの第１の部分量（９１）の第１のグレーレベル（Ｇ１）が、一定に維持され、セグメントの第２の部分量（９２）の第２のグレーレベル（Ｇ２）が、１つのパターン（Ｇｉ（ｘ，ｙ））から次のパターン（Ｇｊ（ｘ，ｙ））に変化する、ことと、
前記ビーム経路中の前記光の全強度の少なくとも一部分（Ｉ）を、前記異なるパターン（Ｇｉ（ｘ，ｙ））に関して前記位相マスク（８０）の下流で測定するための前記カメラ（６２、６６）を駆動することと、
前記第２のグレーレベル（Ｇ２）に依存した前記測定強度（Ｉ）の特性（Ｉ（Ｇ２））を形成することと、
前記第２のグレーレベル（Ｇ２）と前記位相マスク（８０）によって与えられた位相シフト（φ）との間の関係（φ（Ｇ））を前記特性（Ｉ（Ｇ２））から取得することと、
グレーレベル（Ｇ２）と位相シフト（φ）との間の前記取得された関係（φ（Ｇ））に基づいて前記位相マスク（８０）の駆動を較正することと、
のために設定される、ことを特徴とする顕微鏡。
【請求項１７】
請求項１６に記載の顕微鏡であって、
前記位相マスク（８０）が、試料平面に光学的に共役な平面内に配置されることを特徴とする顕微鏡。
【請求項１８】
請求項１６に記載の顕微鏡であって、
前記位相マスク（８０）が、後方の対物レンズ瞳に光学的に共役な平面内に配置され、特に励起ビーム経路と前記検出ビーム経路の両方によって使用されることを特徴とする顕微鏡。
【請求項１９】
請求項１６から１８のいずれか１項に記載の顕微鏡であって、
０次回折光を遮断するための絞りが、前記位相マスク（８０）の下流に存在することを特徴とする顕微鏡。
【請求項２０】
請求項１６から１８のいずれか１項に記載の顕微鏡であって、
０よりも大きい回折次数の光を遮断するための絞りが存在することを特徴とする顕微鏡。
【発明の詳細な説明】
【技術分野】
【０００１】
第１の態様では、本発明は、光学デバイス、特に顕微鏡のビーム経路において、位相マスク特にＳＬＭを較正するための方法に関する。第２の態様では、本発明は、特に、本発明による方法を実行するのに適した顕微鏡に関する。
【背景技術】
【０００２】
試料を観察するための一般的な顕微鏡は、次の構成要素、すなわち、照明光を放射するための少なくとも１つの光源と、試料上に照明光を導くための少なくとも１つの顕微鏡対物レンズおよび試料からの検出光をカメラ上に導くための光学手段と、ビーム経路中に配置された位相マスクと、検出ビーム経路中の光を測定するためのカメラと、位相マスクおよびカメラを制御し、カメラによって測定された光を評価するための制御／評価ユニットとを含む。
【０００３】
顕微鏡法では、様々な使用領域において、構造化された照明が必要とされる。たとえば、光シート顕微鏡法は、薄いシートに似ている照明を必要とする。このことは、第１の横軸方向にできる限り薄く、第２の横軸方向に広く、光の伝搬方向にできる限り長い、光シートとして知られているものが、生成されるべきであることを意味する。このことを達成するために、たとえば、ベッセルビームが、干渉可能に重畳されてよい。加えて、拡張されさらに構造化された光シートを生成するための個々のベッセルビーム間の干渉効果を特に使用することが知られている。小さい２次極大値のみを有する試料中の立方体光シートをなし得る、ｓｉｎｃ３ビームと呼ばれるものも知られている。
【０００４】
位相マスク、特に空間光変調器（ＳＬＭ）を使用するさらなる分野は、３次元体積が集光点を用いて走査される、レーザー走査顕微鏡法である。蛍光顕微鏡法では、試料の領域が、特定の技法で意図的に光学的に増白される。ここでは、増白するために使用される光の適切な空間的構造化が同様に必要である。構造化された照明の顕著な使用法は、点拡がり関数（ＰＳＦ）が、目標とされる形状に形成される、超解像顕微鏡法として知られているものである。たとえば、ＳＴＥＤ法として知られているものにおいて照明用に使用される点拡がり関数は、ドーナツの形状を有する。
【０００５】
構造化された照明の上述の例は、位相マスク、たとえば空間光変調器（ＳＬＭ）を用いて実現されることが可能である。一般に、使用される液晶に関して異なる、２つの異なるタイプのＳＬＭが存在する。ネマチック型ＳＬＭは、０から６πの連続的に設定可能な最大位相偏移を可能にするが、比較的時間がかかる。一般に、ネマチック型ＳＬＭは、約６０Ｈｚのフレームレートを有する。特別なネマチック型ＳＬＭは、５００Ｈｚまでのフレームレートを有することができる。ネマチック型ＳＬＭは、９０パーセントを超える高い回折効率を達成するために使用されてよい。
【０００６】
強誘電体型ＳＬＭは、位相偏移０を有する状態と位相偏移πを有する状態との間だけで切り替わることができる。強誘電体型ＳＬＭの利点は、その高速性である。４ｋＨｚまでのフレームレートが得られる可能性がある。しかし、回折効率は、約１０パーセントと比較的低い。
【０００７】
両タイプのＳＬＭは、達成可能な位相偏移が、入射するレーザー光の波長に依存しているという共通点がある。
【０００８】
ネマチック型ＳＬＭは、０から２πまでの連続的な位相偏移を有するように較正されるべきである。しかし、この位相偏移は、設計波長においてのみ設定されてよい。ＳＬＭが異なる波長の光を照射されるとすぐ、前記光に与えることができる位相偏移は、２πから偏移する。波長がより小さくなると、位相偏移は、より大きくなり、より大きい波長では、位相偏移は、減少する。
【０００９】
この状況は、強誘電体型ＳＬＭでも同様である。ここでも、位相偏移πは、設計波長においてのみ達成される。設計波長から偏移する波長では、πから偏移する位相偏移が生成される。
【００１０】
入手可能なＳＬＭのこれらの特性は、上述の例の構造化された照明の生成に直接影響を及ぼす。前記ビームは、位相偏移が、たとえばベッセルビームおよびマシュー（Ｍａｔｈｉｅｕ）ビームにおいて０から２πまで連続的に設定可能であるか、または、たとえば干渉可能に重畳されるベッセルビームもしくは干渉可能に重畳されるｓｉｎｃ３ビームの場合において正確にπであるときにのみ、最適に生成される可能性がある。
【００１１】
ＳＬＭは、通常、制御／評価ユニット、通常はグレースケール画像をＳＬＭが利用できるようにするＰＣを介して制御される。個々の画像点のグレーレベルは、ＳＬＭ内で電圧に変換され、したがって、個々のＳＬＭピクセルの位相偏移に対応する。たとえば、８ビットのビット深度がある場合、画像のグレーレベル０は、位相偏移０に対応してよく、グレーレベル２５５は、位相偏移２πに対応してよい。以上に説明されたように、ＳＬＭは、波長依存の位相偏移がそれに応じて較正されたときにのみ、最適に使用されることが可能である。このことは、たとえば、所望の位相偏移をもたらすそれぞれの電圧にグレーレベルを割り当てるＳＬＭが表を利用可能にすることを意味する。
【００１２】
会社Ｈｏｌｏｅｙｅは、ＳＬＭを較正するための測定準備について記載し、そこでは、レーザービームが２つの部分に分割され、これらの２つの部分ビーム束が、各場合において較正されるべきＳＬＭの部分領域上に導かれる。両ビームは、カメラ上で再び重畳され、形成される縞模様の干渉パターンが記録される。２つのビームの相対位相を変化させ、したがって、カメラ上の干渉パターンをシフトさせるために、異なるグレーレベルが、ＳＬＭの２つの部分領域上に置かれる。カメラ上の最大干渉縞のシフトは、相対位相偏移に直接比例する。この較正方法では、ＳＬＭは、顕微鏡などの光学デバイスにしっかりと取り付けられる前に、所望の波長に関して較正される。後続の較正は、それぞれのデバイスからＳＬＭを除去しなければ、これ以上この方法では可能とならない。
【発明の概要】
【発明が解決しようとする課題】
【００１３】
特に低い出費で実行される、光学デバイスにおける位相マスクを較正するための方法を特定することは、本発明の目的であると考えられてよい。加えて、内部に存在する位相マスクが高い出費なしで較正されることが可能である顕微鏡が作られることとなる。
【課題を解決するための手段】
【００１４】
この目的は、請求項１の特徴を有する方法の手段と、請求項１６の特徴を有する顕微鏡の手段とによって達成される。
【００１５】
本発明による方法の有利な変形形態および本発明による顕微鏡の好ましい構成が、特に従属クレームおよび図に関連して以下に説明される。
【００１６】
光学デバイスのビーム経路中の位相マスクを較正するための本発明による方法では、次の方法ステップが実行される。すなわち、位相マスクは、セグメントの第１の部分量の第１のグレーレベルが一定に維持され、セグメントの第２の部分量の第２のグレーレベルがパターンごとに変化する、グレーレベルの異なるパターンとともに連続的に制御され、位相マスクは、光学デバイスの光に露出され、ビーム経路中の光の全強度の少なくとも一部分が、異なるパターンに関して位相マスクの下流で測定され、第２のグレーレベルに依存した測定強度の特性が得られ、第２のグレーレベルと位相マスクによって与えられた位相シフトとの間の関係が、その特性から取得され、位相マスクを制御することが、グレーレベルと位相シフトとの間で取得された関係に基づいて較正される。
【００１７】
上述のタイプの顕微鏡は、セグメントの第１の部分量の第１のグレーレベルが一定に維持され、セグメントの第２の部分量の第２のグレーレベルがパターンごとに変化する、グレーレベルの異なるパターンとともに連続的に位相マスクを制御し、異なるパターンに関して位相マスクの下流でビーム経路中の光の全強度の少なくとも一部分を測定するためのカメラを制御し、第２のグレーレベルに依存した測定強度の特性を形成し、第２のグレーレベルと位相マスクによって与えられた位相シフトとの間の関係をその特性から取得し、グレーレベルと位相シフトとの間で取得された関係に基づいて位相マスクの制御を較正するために設定される制御／評価ユニットを介して、本発明に従ってさらに開発される。
【００１８】
本発明の意味の位相マスクは、対応するセグメントの制御に応じて変えられる規定の位相シフトを、伝搬または反射されるそれぞれの光に与える複数の制御可能なセグメントを有する光学装置を意味するものと理解される。原則として、セグメントが１つの空間方向にのみ分割された位相マスクが使用されてよい。位相マスクの１つの例は、縞模様のセグメントを有する位相マスクである。
【００１９】
特定の選好によって、２次元構造を有する位相マスクが使用される。そのような位相マスクは、２Ｄ位相マスクと呼ばれる場合があり、特にピクセル列およびピクセル行を有するピクセル構造を有する場合がある。位相マスクの個々に設定可能または制御可能なセグメントは、したがって、個々のピクセルである。そのような２次元の位相マスクにおけるビーム操作の可能性は、特に様々である。
【００２０】
原則として、強誘電体型ＳＬＭは、位相マスクとして使用されてよい。可変の設定オプションのために、ネマチック型空間光変調器（ＳＬＭ）が一般に使用される。
【００２１】
位相マスクを較正することは、位相マスクのそれぞれが制御されるセグメントの所望の位相偏移への、制御、たとえばデジタル制御値の規定の割当てが提供されるプロセスを指す。
【００２２】
原則として、適切である光学デバイスは、位相マスクが、光に対する制御された規定の微小影響のために使用される、すべてのデバイスである。本発明による方法の使用の主な領域は、特に照明光も検出光も多種多様な方法で構造化される、顕微鏡である。
【００２３】
たとえば、光学デバイスは、レーザー走査顕微鏡（ＬＳＭ：ｌａｓｅｒ  ｓｃａｎｎｉｎｇ  ｍｉｃｒｏｓｃｏｐｅ）、広視野顕微鏡、または光シート顕微鏡であってよい。しかし、本発明による方法の使用の有利な可能性は、光学デバイスとして染料配色の微小操作用のフォトマニピュレータのためにも存在する。
【００２４】
本説明の意味におけるグレーレベルという用語は、位相マスクの特定のセグメントに与えられる制御値を指す。特に、グレーレベルは、たとえば８ビットのビット幅を有するデジタル制御値であってよい。したがって、この値は、０から２５５の値を仮定することができる。制御することは、特定の制御値が特定のセグメントまたは特定のピクセルに与えられることを意味する。前記ピクセルは、それによって、このピクセルが伝搬または反射される光に特定の位相偏移を与える状態に置かれる。特定の制御値に対するこの位相偏移の範囲は、最初は明確でない。本発明による方法の目的は、この範囲を特定することである。
【００２５】
グレーレベルのパターンは、使用される位相マスクの異なるセグメント、特にピクセルに関する制御値の特定の組合せを意味するものと理解される。
【００２６】
セグメントの部分量は、原則として位相マスク上に要望通りに分布してよく、特に隣接している必要がない、セグメントの特定の部分集合を意味するものと理解される。
【００２７】
本発明の説明に関する光学デバイスの光という用語は、光学デバイスの動作中に位相マスクによって操作される光を意味する。たとえば、顕微鏡の場合には、光は、試料に衝突する照明光を意味する。
【００２８】
本発明によれば、この目的は、異なるパターンに関して位相マスクの下流でビーム経路中の光の全強度の少なくとも一部分を測定することである。このことは、特に、ビーム断面の一部分が強度に関して評価されることを意味する。特に、全強度の一部分は、少なくとも１つの回折次数、たとえば０次または１次の回折光の光であってよい。
【００２９】
第２のグレーレベルに依存した測定強度の特性という用語は、値の対（設定された第２のグレーレベル、前記グレーレベルのために測定された強度）の全体を指す。
【００３０】
特定の設定されたグレーレベルと前記グレーレベルによって実際に引き起こされた位相シフトとの間の実際の関係を特定することは、較正にとって必須である。この関係を知ることは、グレーレベルと位相シフトとの間で取得されたまさにその関係に基づいて位相マスクの制御を較正することを最終的に可能にする。
【００３１】
本発明の重要な利点は、位相マスクが、原則として、それぞれの光学デバイス、すなわち特に顕微鏡内に取り付けられた状態で同様に較正される可能性があると見なされる場合がある。そのような後続の較正は、たとえば、顕微鏡が異なる温度で動作するとき、または、ＳＬＭの制御ユニット、たとえばＦＰＧＡ（フィールドプログラマブルゲートアレイ）が欠陥のために置き換えられなければならないとき、必要になる場合がある。ＳＬＭの経年劣化は、再較正が同様に必要になる場合があることの結果として、グレーレベルと位相偏移との間の最初の関係を変化させる可能性もある。これらの後続の較正は、それぞれの位相マスクを除去する必要なしに、本発明による方法を使用して、本発明による顕微鏡の場合に実行されてよい。この関連において本発明のさらに重要な利点は、さらに、再較正されるべき位相マスクが除去される必要がないので、光学デバイスのビーム経路中の複雑な調整が必要ないことである。
【００３２】
位相マスクに与えられる利用パターンでは、原則として、多量の自由度がある。重要なことは、セグメントの第１のグループまたは部分量の制御が変化しないことと、セグメントの第２の部分量の制御がパターンごとに変化することである。
【００３３】
原則として、パターンは、非周期的であってもよい。しかし、特定の選好によって、パターンは、位相マスクの平面において少なくとも１つの空間方向に周期的である。
【００３４】
たとえば、グレーレベルの設定されたパターンは、ダマン格子を作製するためのパターンであってよい。
【００３５】
特に本発明による方法の好ましい変形形態では、第２のグレーレベルが、位相マスクのダイナミックレンジ全体にわたって変化する。本発明につながった予備作業は、次いで、較正が、比較的簡単な数学的関係に基づいて実行されてよいことを示した。
【００３６】
原則として、較正を目的として、較正用の測定に使用される照明光がカメラに導かれる、独立したビーム偏向手段が存在する場合がある。
【００３７】
代替の変形形態では、特にレーザー走査顕微鏡または広視野顕微鏡において、特別な蛍光試料が、較正用の測定に使用されてよい。
【００３８】
しかし、本発明による方法を実施するために、位相マスクが影響を及ぼした光が何らかの方法でカメラまたは検出器に到達する場合は、原則として、本発明の方法は十分である。本発明による方法の特に好ましい変形形態では、較正用の測定のために対象物担体において反射された光が、結果的に使用される。その際、較正測定の実行に必要な指標は、あまり複雑でない。
【００３９】
便宜的に、較正用の測定では、検出ビーム経路中の励起光を遮断するために存在する場合がある任意のフィルタが、ビーム経路から除去される。本発明は、グレーレベルと位相シフトとの間の関係が、本発明による方法の特に好ましい変形形態において比較的容易に特定されてよいことを認識したが、位相マスクの下流で、０次の回折光が空間フィルタを使用して遮断され、続いて下流でビーム経路の積分強度が空間フィルタによって測定される。その際、第２のグレーレベルと位相シフトとの間の関係は、次式との比較によって取得することができる。
Ｉ＝ｃｏｎｓｔ＊（１−ｃｏｓφ）
【００４０】
本発明による顕微鏡の対応する変形形態では、０次の回折光を遮断するための絞りが、位相マスクの下流に存在する。
【００４１】
較正において０次の回折光のみが測定される場合、同様に簡単な関係が存在する。その際、第２のグレーレベルと位相シフトとの間の関係は、次式との比較によって取得することができる。
Ｉ＝ｃｏｎｓｔ＊（１＋ｃｏｓφ）
【００４２】
本発明による顕微鏡の対応する例示的な実施形態は、０よりも大きい回折次数の光を遮断するための絞りが存在するという点で特徴づけられる。
【００４３】
原則として、位相マスクの較正用の測定のためにのみ使用される、独立したカメラが存在する場合がある。
【００４４】
しかし、本発明の特有の利点は、実際の顕微鏡法測定にも使用されるカメラが、強度を測定するために使用されることが可能であるという点である。したがって、較正測定を実行するための装置に関する出費は、極めて低い。
【００４５】
本発明による顕微鏡は、特に本発明による方法を実行するために設定されてよい。
【００４６】
本発明が、たとえば強度格子の形態の位相マスクを用いて構造化された照明を提供する場合、位相マスクは、便宜的に、試料平面に光学的に共役な平面に配置される。そのような構造は、たとえば、広視野顕微鏡において有用である。取得された顕微鏡法データは、ＳＩＭまたはＡｐｏｔｏｍｅの計算に従うことができる。たとえば、縞模様の位相パターンが、ＳＬＭ上に示されてよく、このパターンは、０および１２８のグレーレベルを交互に有する線からなる。理想的に較正されたＳＬＭでは、このグレーレベルは、０またはπの位相偏移に対応する。レーザー遮断フィルタを除去することによって、後方反射が測定されてよい。ここで、後方反射は、独立した鏡または対象物担体もしくはカバーグラスから生じる可能性もある。代替として、蛍光試料、たとえば薄い蛍光層が使用されてよい。
【００４７】
異なる用途では、波面操作のための位相マスクが使用される。たとえば、収差が補正されてよい。これらの目的から、位相マスクは、後方の対物レンズ瞳に光学的に共役な平面に配置されることが好ましい。
【００４８】
本発明のさらなる利点および特徴は、添付の図を参照して以下に説明される。
【図面の簡単な説明】
【００４９】
【図１】本発明による顕微鏡の概略図である。
【図２】本発明による顕微鏡のビーム形成モジュール内のビーム経路の概略図である。
【図３】本発明による方法を説明するための例示的な位相マスクの第１の概略図である。
【図４】本発明による方法を説明するための、図３の位相マスクの第２の概略図である。
【図５】本発明による方法を説明するための第１のダイアグラムである。
【図６】本発明による方法を説明するための第２のダイアグラムである。
【発明を実施するための形態】
【００５０】
本発明による顕微鏡１００の１つの例示的な実施形態および本発明による方法の変形形態が、図１から図６を参照して説明される。同一の構成要素および均等な効果を有する構成要素は、全体的に、複数の図において同じ参照符号によって示される。
【００５１】
図１は、必須の構成要素として、最初に、レーザーモジュールなどの、照明光１１を放射するための光源１０と、照明光１１を観察されるべき試料４８上に導くための顕微鏡対物レンズ３０と、検出光５４を試料４８からカメラ６２、６６上に導くためのさらなる光学手段４０、５０、６４とを含む、倒立光シート顕微鏡を概略的に示す。光シート顕微鏡法に適した照明光１１のビーム形状を生成するために、光源１０のすぐ下流に配置されたビーム形成モジュール２０が存在する。その際、スキャナ１２を使用して、励起光１１は、顕微鏡対物レンズ３０内を通過して、ここから、メニスカスレンズ４０を介して試料４８上に達する。図１に示された例における試料４８は、トレイ状の対象物担体４４内に配置され、対象物担体４４は、励起光１１と検出光５４の両方に対して透明であり、検出光５４は、励起光１１、特に蛍光を用いて照射すると、試料４８によって放射される。試料４８は、水４６によって囲まれてよい。対象物担体４４は、試料台４２によって保持され、試料台４２は、特に知られている方式で３つのすべての空間方向ｘ、ｙ、ｚに配置することができる。図示された例では、光シートは、前記対象物担体４４の垂直方向に対して４５度の角度で対象物担体４４上に放射される。
【００５２】
圧電構造体３２が、顕微鏡対物レンズ３０の光軸に沿った方向に顕微鏡対物レンズ３０を配置するために存在する。
【００５３】
検出光学ユニットは、必須の構成要素として、メニスカスレンズ４０および検出対物レンズ５０を含む。再び、圧電構造体５２が、検出対物レンズ５０を配置するために存在する。検出光５４は、検出対物レンズ５０を通過した後、ビームスプリッタ６４上に入射し、次いで、第１のカメラ６２または第２のカメラ６６のいずれかに当たる。ビームスプリッタ６４は、たとえば、第１のカメラ６２および第２のカメラ６６の各々の場合に異なる配色を観測することができる結果から、カラースプリッタであってよい。
【００５４】
ビーム形成ユニット２０の構造が、図２にさらに詳細に示されている。特にガウスビーム形状を有することができる入射光２１が、最初に第１の円柱レンズ２２に当たり、第１の円柱レンズ２２が、第２の円柱レンズ２３とともに、第１の望遠鏡を形成する。位相マスク８０、特にネマチック型ＳＬＭは、ビーム経路の平行になった部分に配置される。位相マスク８０における反射後、光は、最終的に、第２の望遠鏡を形成する、第３のレンズ２４および第４のレンズ２６を通過して出口平面２７に達する。絞り２５が、第３のレンズ２４と第４のレンズ２６との間に配置される。絞り２５は、特に、ビーム形状の中央領域の０次の回折光のみが遮断される、円形ディスクの形状の絞りであってよい。代替の変形形態では、絞りは、０次の回折光のみが通過することを可能にするピンホールである。位相マスクは、出口平面２７に光学的に共役な平面内に配置される。図１に示された例示的な実施形態では、この平面は、中間の画像平面であることが好ましい。このことは、平面２７が、顕微鏡対物レンズ３０の試料平面に光学的に共役であることを意味する。
【００５５】
原則として、ビーム形成モジュール２０は、平面２７および位相マスク８０が配置される平面が結果的に、瞳平面、すなわち後方の対物レンズ瞳に共役な平面内に配置されるように、顕微鏡内に配置されてもよい。
【００５６】
ＳＬＭ８０を駆動するために、制御／評価ユニット７０、通常ＰＣが、顕微鏡１００の場合では存在する。制御／評価ユニット７０を使用すると、位相マスク８０は、グレーレベルＧの異なるパターンＧｉ（ｘ，ｙ）、Ｇｊ（ｘ，ｙ）とともに駆動されてよい。
【００５７】
位相マスク８０を較正するための本発明による方法では、次に、次のステップが実行される。すなわち、位相マスク８０は、グレーレベルＧの異なるパターンＧｉ（ｘ，ｙ）とともに時間的に連続して駆動される。セグメントの第１の部分量９１の第１のグレーレベルＧ１は、ここでは一定に維持され、セグメントの第２の部分量９２の第２のグレーレベルＧ２は、１つのパターンＧｉ（ｘ，ｙ）から次のパターンＧｊ（ｘ，ｙ）に変化する。このことは、概略図３および概略図４を参照してより詳細に説明される。各場合の図３および図４は、１つの同じ位相マスク８０を示すが、グレーレベルの異なるパターンを有する各場合において駆動される。図３では、位相マスク８０は、パターンＧｉ（ｘ，ｙ）とともに駆動され、図４ではパターンＧｊ（ｘ，ｙ）とともに駆動される。パターンＧｉ（ｘ，ｙ）、Ｇｊ（ｘ，ｙ）は各々、規則的な縞模様を有し、すなわち、これらのパターンはｘ方向に周期的である。原則として、そのようなパターンは、縞模様のセグメントを有する位相マスクを用いて実現されてよい。しかし、行および列にピクセルを有する２Ｄ位相マスクが一般に使用される。たとえば、１２８０×１０２４までの解像度を有するＳＬＭが入手可能である。
【００５８】
パターンＧｉ（ｘ，ｙ）、Ｇｊ（ｘ，ｙ）は、セグメントの第１の部分量９１のグレーレベルが変化しないという点で特徴づけられる。このことは、図３および図４の各場合における領域９１が、同じグレーレベルＧ１を有することを意味する。第２の部分量９２のセグメントが駆動される第２のグレーレベルＧ２は、対照的に、図４のパターンＧｊ（ｘ，ｙ）の場合には図３のパターンＧｉ（ｘ，ｙ）と異なる。このことは、図３および図４の領域９２の異なる網かけ線によって概略的に示されている。
【００５９】
しかし、周期的なパターンが位相マスクに与えられる必要はない。任意の所望の非周期的なパターンも使用されてよいが、それは、より高い空間周波数がそのようなパターンにも含まれ、所望の回折効果をもたらすからである。
【００６０】
図１に概略的に示された構造を有する本発明による方法を実行するための１つの可能性は、位相マスク８０の助けによって変調された光ビーム（説明された例では、これは光シートである）を、試料４８と同じ場所に配置された偏向ミラー４９を用いて検出ビーム経路に直接結合することであり、したがって、直接カメラ６２、６６のうちの１つの上に光シートを結像することである。
【００６１】
偏向ミラー４９の代わりに、特別な蛍光試料４８が使用されてよい。
【００６２】
顕微鏡内の追加の構成要素なしでまさに完全に効果的であるさらに簡単な可能性は、対象物担体４４における反射を使用するものである。上述の幾何学的形状のために、光シートの光は、対象物担体４４において検出対物レンズ５０に直接反射される。
【００６３】
原則として、ビームが試料４８に入る前に、またはビームを独立したカメラに導くためにビームが対象物担体４４上に入射する前に、ビーム経路からのビームを結合することも可能である。そのような独立したカメラは、顕微鏡に長期間取り付けられることも可能であり、前記独立したカメラの方向で結合する出力は、ビームスプリッタの助けによってもたらされてよい。
【００６４】
以上に説明されたように、０次の回折光が遮断された場合、すなわち、絞り２５が円形ディスクの形状の絞りである場合、高次の回折光のみがカメラ６２または６６上で干渉し、周期的強度の格子が視認可能となる。しかし、カメラ上のこの強度格子それ自体は、実際の較正にはどんな役割も果たさない。重要なことは、カメラに当たる光全体の強度Ｉが測定されることである。この強度は、ビーム経路の全強度から遮断された１次回折光を減算した値である。その際、本発明によれば、これらの強度は、複数の異なるパターンＧｉ（ｘ，ｙ）に関して測定され、説明されたように、セグメントの第１の部分量９１の第１のグレーレベルＧ１は一定に維持され、セグメントの第２の部分量９２の第２のグレーレベルＧ２は変化する。
【００６５】
特定の選好によって、第２のグレーレベルＧ２は、位相マスク８０のダイナミックレンジ全体にわたって変化する。
【００６６】
測定強度（Ｉ）の特性Ｉ（Ｇ２）は、第２のグレーレベル（Ｇ２）に依存した測定データから取得される。図５は、そのような特性の例を示し、最大値Ｉｍａｘで正規化された強度は、グレーレベルＧ２に対してプロットされた。
【００６７】
カメラ６２または６６上に入射する光の全強度に関して、
Ｉ＝ｃｏｎｓｔ（１−ｃｏｓφ）
ここで、φは位相マスク８０によって実際に与えられる位相シフトである。この関係を用いれば、Ｇ２に依存して測定された強度から第２のグレーレベルＧ２に依存した位相シフトφを取得することが可能である。位相シフトφの設定されたグレーレベルＧ２への依存性は、図６のダイアグラム内で図５の測定データに対して示され、位相シフトφがグレーレベルＧに対してプロットされる。図６は、位相マスク８０の較正の結果であると見なされてよく、原則として、達成されるべき特定の所望の位相偏移φに対して位相マスク８０がどのように駆動されなければならないかに関して所望の情報を提供する。たとえば、図６の情報は、制御／評価ユニット７０の表中に記憶されてよい。
【００６８】
本発明による方法を実施するために、０次の回折光を遮断する必要はない。０次の回折光を含むビームの全強度が測定されるとき、カメラに当たる全強度ではなく、強度の変調度、すなわちカメラ画像内の最大強度と最小強度との間の差が測定されなければならない。
【００６９】
その際、測定のために０次の回折光を専ら使用することも可能である。その際、測定強度Ｉは、次式のように位相シフトφに関連づけられる。
Ｉ＝ｃｏｎｓｔ（１＋ｃｏｓφ）
【００７０】
最後に、位相マスク８０は、中間の画像平面内に必ずしも配置される必要はない。原則として、位相マスク８０は、任意の所望の平面内に配置されてよい。たとえば、位相マスク８０が瞳平面内に配置される場合、グレーレベルのパターンの空間周波数スペクトルは、カメラ上で見ることができる。この場合の強度測定は、たとえば、１次の回折、または以上に説明されたように０次の回折に対応するカメラの画像領域内で正確に実行される。
【００７１】
原則として、図６の測定データは、さらなる計算において、たとえばガンマ値として知られているものに対して使用され、ＳＬＭ駆動を目指して直接プログラミングされてよい。しかし、これらのさらなるステップは、実際の較正方法にはこれ以上関係しないが、特別なデバイス内での実施には関係する。
【００７２】
光シート顕微鏡において図１に関連して説明されたものと同様に、本発明による方法は、ＳＬＭがビーム形成に使用される、レーザー走査顕微鏡に使用されてもよい。ここで、ＳＬＭは、原則として、中間画像平面内に配置されてよい。しかし、レーザー走査顕微鏡内のＳＬＭは、通常、波面変調のために瞳平面内に配置される。実際の測定動作中に励起照射がカメラに達しないことを確実にするフィルタが、検出ビーム経路から除去される場合、後方反射が測定されてもよい。ここで、後方反射は、特別に取り付けられた鏡から、または、以上に説明されたように光シート顕微鏡では対象物担体から生じる可能性がある。代替として、特別な蛍光試料、たとえば薄い蛍光層が、ここで、使用されてもよい。
【００７３】
レーザー走査顕微鏡では、特に、ダマン格子がグレーレベルのためのパターンとして作製されるパターンを使用することが可能である。グレーレベルを変調し、グレーレベルに依存した少なくとも１つの回折次数の光の強度を測定することによって、グレーレベルに依存した位相シフトが、以上に説明されたように次式の関係から特定されてもよい。
Ｉ＝ｃｏｎｓｔ（１＋ｃｏｓφ）
【００７４】
位相マスク、特にＳＬＭは、たとえば細胞核における配色のオンとオフの目的とする切り替えに使用されるフォトマニピュレータの一部分であってもよい。
【００７５】
収差を補正するために、位相マスク、特にＳＬＭは、検出ビーム経路中で使用されてもよい。たとえば、ＳＬＭは、照明ビーム経路と検出ビーム経路の両方によって使用される瞳内に配置されてもよい。その際、ＳＬＭを較正するための本発明による方法が、図１に関連して説明されたように実行されてよい。ＳＬＭが検出ビーム経路によってのみ使用される瞳内に配置された場合、レーザー走査顕微鏡などでは、たとえば対象物担体からレーザー遮断フィルタを除去することによって後方反射を測定することが可能である。対象物担体に焦点を絞ることは、ここでは、照明側と検出側の両方からもたらされてよい。この場合、瞳内のＳＬＭは、全体が照明される。ＳＬＭが周期的なパターンで駆動された場合、前記パターンの空間周波数スペクトルは、再びカメラ上で見られてよい。以上に説明されたように、１次回折光の強度は、測定され、ＳＬＭを較正するために使用されてよい。
【００７６】
本発明は、特に顕微鏡において、位相マスクを較正するための新規の方法を提供するために使用される。本方法の最も重要な利点は、本発明が、原則として、ＳＬＭを除去する必要なしに、すなわちそのままの状態で動作中の装置に使用することもできることである。したがって、光学ユニットに関する複雑な調整努力は、もはや必要ない。
【符号の説明】
【００７７】
１０  光源、  １１  照明光／励起光、  １２  スキャナ、  ２０  ビーム形成ユニット、  ２１  入射ビーム束、特にガウスビーム、  ２２  第１のレンズ、たとえば円柱レンズ、  ２３  第２のレンズ、たとえば円柱レンズ、  ２４  第３のレンズ、  ２５  ピンホール、  ２６  第４のレンズ、  ２７  位相マスクの平面に光学的に共役な平面、  ３０  顕微鏡対物レンズ、  ３２  圧電構造体、  ４０  メニスカスレンズ、  ４２  試料台、  ４４  対象物担体、  ４６  水、  ４８  試料、特に蛍光試料、  ４９  独立したビーム偏向手段、  ５０  検出対物レンズ、  ５２  圧電構造体、  ５４  検出光、  ６２  カメラ、  ６４  ビームスプリッタ、  ６６  カメラ、  ７０  制御／評価ユニット、  ８０  位相マスク、  ９１  セグメントの第１の部分量、  ９２  セグメントの第２の部分量、  １００  顕微鏡、  Ｇ  グレーレベル、  Ｇ１  第１のグレーレベル、  Ｇ２  第２のグレーレベル、  Ｇｉ（ｘ，ｙ）、Ｇｊ（ｘ，ｙ）  グレーレベルＧの異なるパターン、  Ｉ  ビーム経路中の光の強度の測定部分、  Ｉ（Ｇ２）  第２のグレーレベルＧ２に依存した測定強度の特性、  ＬＳＭ  レーザー走査顕微鏡、  ＳＬＭ  空間光変調器、  φ（Ｇ）  第２のグレーレベルＧ２と位相マスク８０によって与えられた位相シフトφとの間の関係。
【図１】
2020060758.tif 000003
【図２】
2020060758.tif 000004
【図３】
2020060758.tif 000005
【図４】
2020060758.tif 000006
【図５】
2020060758.tif 000007
【図６】
2020060758.tif 000008
【外国語明細書】
2020060758.tif 000009
2020060758.tif 000010
2020060758.tif 000011
2020060758.tif 000012
2020060758.tif 000013
2020060758.tif 000014
2020060758.tif 000015
2020060758.tif 000016
2020060758.tif 000017
2020060758.tif 000018
2020060758.tif 000019
2020060758.tif 000020
2020060758.tif 000021
2020060758.tif 000022
2020060758.tif 000023
2020060758.tif 000024
2020060758.tif 000025
2020060758.tif 000026
2020060758.tif 000027
2020060758.tif 000028
2020060758.tif 000029
2020060758.tif 000030
2020060758.tif 000031
2020060758.tif 000032
2020060758.tif 000033
2020060758.tif 000034
2020060758.tif 000035
2020060758.tif 000036
2020060758.tif 000037